(57)【要約】【課題】この発明は、所定の電子機器への内蔵に適する構成としたケーブルモデムモジュール装置を提供することを目的としている。また、この発明は、上記したケーブルモデムモジュール装置を内蔵した電子機器を提供することを目的としている。【解決手段】高周波信号を送受信するアナログ信号処理部を有するチューナ部３８と、このチューナ部３８に対する入出力信号をデジタル処理するデジタル信号処理部３９とをシールドケース５２に収納する。そして、一端部がデジタル信号処理部３９に接続され、他端部がシールドケース５２を挿通して外方に突出される端子群５６の一部を、シールドケース５２の外方からデジタル信号処理部３９に対する設定、確認を行なうためのコンソール端子４７、及び、デジタル信号処理部３９における信号処理状態を表示するための表示制御信号をシールドケース５２の外方に出力するための表示用端子７４とする。【選択図】    図１１
2005064902.tif 000002
【特許請求の範囲】
【請求項１】
高周波信号を送受信するアナログ信号処理部を有するチューナ部と、
このチューナ部に対して入出力する信号をデジタル処理するデジタル信号処理部と、
このデジタル信号処理部及び前記チューナ部を収納するシールドケースと、
一端部が前記デジタル信号処理部に接続され、他端部が前記シールドケースを挿通して外方に突出されるもので、前記デジタル信号処理部に対してデジタル信号を入出力する端子群とを具備し、
前記端子群の一部は、前記シールドケースの外方から、前記デジタル信号処理部に対する設定、確認を行なうための端子であることを特徴とするケーブルモデムモジュール装置。
【請求項２】
高周波信号を送受信するアナログ信号処理部を有するチューナ部と、
このチューナ部に対して入出力する信号をデジタル処理するデジタル信号処理部と、
このデジタル信号処理部及び前記チューナ部を収納するシールドケースと、
一端部が前記デジタル信号処理部に接続され、他端部が前記シールドケースを挿通して外方に突出されるもので、前記シールドケースの外方から、前記デジタル信号処理部に対する設定、確認を行なうための端子を一部に含む端子群とを具備したことを特徴とするケーブルモデムモジュール装置。
【請求項３】
前記シールドケースの外方から、前記デジタル信号処理部に対する設定、確認を行なうための端子は、コンソール端子であることを特徴とする請求項１または２記載のケーブルモデムモジュール装置。
【請求項４】
前記コンソール端子は、前記デジタル信号処理部の動作を統括的に制御する主制御部に接続されることを特徴とする請求項３記載のケーブルモデムモジュール装置。
【請求項５】
高周波信号を送受信するアナログ信号処理部を有するチューナ部と、
このチューナ部に対して入出力する信号をデジタル処理するデジタル信号処理部が形成された回路基板と、
この回路基板を前記チューナ部を含めて収納するシールドケースと、
前記回路基板上における信号処理状態を表示するための表示制御信号を生成する表示制御手段と、
一端部が前記デジタル信号処理部に接続され、他端部が前記シールドケースを挿通して外方に突出されるもので、前記デジタル信号処理部に対してデジタル信号を入出力する端子群とを具備し、
前記端子群の一部は、前記表示制御手段で生成された表示制御信号を、前記シールドケースの外方に出力するための端子であることを特徴とするケーブルモデムモジュール装置。
【請求項６】
高周波信号を送受信するアナログ信号処理部を有するチューナ部と、
このチューナ部に対して入出力する信号をデジタル処理するデジタル信号処理部が形成された回路基板と、
この回路基板を前記チューナ部を含めて収納するシールドケースと、
前記回路基板上における信号処理状態を表示するための表示制御信号を生成する表示制御手段と、
一端部が前記デジタル信号処理部に接続され、他端部が前記シールドケースを挿通して外方に突出されるもので、前記表示制御手段で生成された表示制御信号を、前記シールドケースの外方に出力するための端子を一部に含む端子群とを具備したことを特徴とするケーブルモデムモジュール装置。
【請求項７】
高周波信号を送受信するアナログ信号処理部を有するチューナ部と、このチューナ部に対して入出力する信号をデジタル処理するデジタル信号処理部と、このデジタル信号処理部及び前記チューナ部を収納するシールドケースと、一端部が前記デジタル信号処理部に接続され、他端部が前記シールドケースを挿通して外方に突出されるもので、前記デジタル信号処理部に対してデジタル信号を入出力する端子群とを備え、前記端子群の一部は、前記シールドケースの外方から、前記デジタル信号処理部に対する設定、確認を行なうための端子であるケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【請求項８】
高周波信号を送受信するアナログ信号処理部を有するチューナ部と、このチューナ部に対して入出力する信号をデジタル処理するデジタル信号処理部と、このデジタル信号処理部及び前記チューナ部を収納するシールドケースと、一端部が前記デジタル信号処理部に接続され、他端部が前記シールドケースを挿通して外方に突出されるもので、前記シールドケースの外方から、前記デジタル信号処理部に対する設定、確認を行なうための端子を一部に含む端子群とを備えたケーブルモデムモジュール装置と、
このケーブルモデムモジュール装置に電力を供給する電源部とを具備し、
前記電源部から供給される電力を用いて前記ケーブルモデムモジュール装置が動作するように構成したことを特徴とする電子機器。
【請求項９】
高周波信号を送受信するアナログ信号処理部を有するチューナ部と、このチューナ部に対して入出力する信号をデジタル処理するデジタル信号処理部が形成された回路基板と、この回路基板を前記チューナ部を含めて収納するシールドケースと、前記回路基板上における信号処理状態を表示するための表示制御信号を生成する表示制御手段と、一端部が前記デジタル信号処理部に接続され、他端部が前記シールドケースを挿通して外方に突出されるもので、前記デジタル信号処理部に対してデジタル信号を入出力する端子群とを備え、前記端子群の一部は、前記表示制御手段で生成された表示制御信号を、前記シールドケースの外方に出力するための端子であるケーブルモデムモジュール装置と、
このケーブルモデムモジュール装置に電力を供給する電源部と、
前記端子から得られた表示制御信号に基づいて駆動される表示部とを具備したことを特徴とする電子機器。
【請求項１０】
高周波信号を送受信するアナログ信号処理部を有するチューナ部と、このチューナ部に対して入出力する信号をデジタル処理するデジタル信号処理部が形成された回路基板と、この回路基板を前記チューナ部を含めて収納するシールドケースと、前記回路基板上における信号処理状態を表示するための表示制御信号を生成する表示制御手段と、一端部が前記デジタル信号処理部に接続され、他端部が前記シールドケースを挿通して外方に突出されるもので、前記表示制御手段で生成された表示制御信号を、前記シールドケースの外方に出力するための端子を一部に含む端子群とを備えたケーブルモデムモジュール装置と、
このケーブルモデムモジュール装置に電力を供給する電源部と、
前記端子から得られた表示制御信号に基づいて駆動される表示部とを具備したことを特徴とする電子機器。
【発明の詳細な説明】
【技術分野】
【０００１】
この発明は、例えばＣＡＴＶ（Cable Television）回線を用いたネットワークとのインターフェースとなるケーブルモデムモジュール装置に関する。また、この発明は、上記したケーブルモデムモジュール装置を内蔵した電子機器に関する。
【背景技術】
【０００２】
周知のように、例えばＣＡＴＶ回線を用いたネットワークに、ユーザの所有する例えばＰＣ（Personal Computer）等の情報端末を接続するためのインターフェースとして、ケーブルモデム装置が開発されている。このケーブルモデム装置は、現在、ユーザが直接取り扱うことができる独立した機器として製品化されている。
【０００３】
一般に、ケーブルモデム装置は、その背面にＣＡＴＶ幹線と接続するためのＲＦ（Radio Frequency）同軸コネクタ、ＰＣ等と接続するためのイーサネット（Ethernet）コネクタまたはジャック、装置を初期設定に戻すためのリセットスイッチ、電源電力の供給を受けるための電源コネクタ等を装備している。
【０００４】
また、このケーブルモデム装置の前面には、電源電力の供給状態、ＣＡＴＶセンター局との接続状態、ＰＣとの接続状態、その他の機能の状態を表示するためのＬＥＤ（Light Emitting Diode）または液晶等でなる表示部、装置に対して電源を投入または遮断するための電源スイッチ等が装備されている。
【０００５】
そして、このケーブルモデム装置は、現状において、合成樹脂材料で形成された筐体に収納されており、ＰＣの近傍に置かれたり、壁に掛けたりすることを前提として、その形状が設定されている。
【０００６】
ところで、現在では、高集積化、部品の高性能化、実装技術が向上していることから、ケーブルモデム装置としても大幅なコストダウンや小型軽量化が促進されている。これにより、サイズの上では、ケーブルモデム装置を所定の電子機器に内蔵してしまうことが可能になっている。
【０００７】
しかしながら、ケーブルモデム装置は、上述したように、元々、他の電子機器とは別体な独立した機器として構成されているため、所定の電子機器に内蔵するためには、種々の点で改良を施す必要が生じることになる。
【０００８】
特許文献１には、受信系ブロックと送信系ブロックとを１つの筐体内に形成した送受信一体型高周波装置が開示されている。しかしながら、この特許文献１では、受信系ブロックと送信系ブロックとが形成された筐体を、所定の電子機器に内蔵することについては何らの記載もなされていないものである。
【特許文献１】特開２００２−１６５２４号公報
【発明の開示】
【発明が解決しようとする課題】
【０００９】
そこで、この発明は上記事情を考慮してなされたもので、所定の電子機器への内蔵に適する構成としたケーブルモデムモジュール装置を提供することを目的とする。また、この発明は、上記したケーブルモデムモジュール装置を内蔵した電子機器を提供することを目的とする。
【課題を解決するための手段】
【００１０】
この発明に係るケーブルモデムモジュール装置は、高周波信号を送受信するアナログ信号処理部を有するチューナ部と、このチューナ部に対して入出力する信号をデジタル処理するデジタル信号処理部と、このデジタル信号処理部及びチューナ部を収納するシールドケースと、一端部がデジタル信号処理部に接続され、他端部がシールドケースを挿通して外方に突出されるもので、デジタル信号処理部に対してデジタル信号を入出力する端子群とを備え、端子群の一部を、シールドケースの外方から、デジタル信号処理部に対する設定、確認を行なうための端子としたものである。
【００１１】
また、この発明に係る電子機器は、高周波信号を送受信するアナログ信号処理部を有するチューナ部と、このチューナ部に対して入出力する信号をデジタル処理するデジタル信号処理部と、このデジタル信号処理部及びチューナ部を収納するシールドケースと、一端部がデジタル信号処理部に接続され、他端部がシールドケースを挿通して外方に突出されるもので、デジタル信号処理部に対してデジタル信号を入出力する端子群とを備え、端子群の一部は、シールドケースの外方から、デジタル信号処理部に対する設定、確認を行なうための端子であるケーブルモデムモジュール装置と；このケーブルモデムモジュール装置に電力を供給する電源部とを備え；電源部から供給される電力を用いてケーブルモデムモジュール装置が動作するように構成したものである。
【発明の効果】
【００１２】
上記した構成によれば、高周波信号を送受信するアナログ信号処理部を有するチューナ部と、このチューナ部に対して入出力する信号をデジタル処理するデジタル信号処理部とをシールドケースに収納し、一端部がデジタル信号処理部に接続され、他端部がシールドケースを挿通して外方に突出される端子群の一部を、シールドケースの外方から、デジタル信号処理部に対する設定、確認を行なうための端子としている。
【００１３】
このため、ケーブルモデムモジュール装置自体の製造時や、所定の電子機器製造時にケーブルモデムモジュール装置を組み込んだ状態では、端子を介してケーブルモデムモジュール装置の設定、確認等を行なうことができる。また、ケーブルモデムモジュール装置自体は、所定の電子機器に内蔵されるので、ユーザが端子を介してデジタル信号処理部にアクセスすることは防止される。
【発明を実施するための最良の形態】
【００１４】
以下、この発明の実施の形態について図面を参照して詳細に説明する。図１は、この実施の形態で説明するＣＡＴＶ放送システムの概略を示している。図１において、符号１１はＣＡＴＶセンター局である。
【００１５】
このＣＡＴＶセンター局１１は、ＣＡＴＶケーブル１２を介して各加入者宅１３に設置されたＣＡＴＶ端末装置１４に接続されている。また、ＣＡＴＶセンター局１１は、例えばインターネット等の各種ネットワーク情報網１５に接続されている。
【００１６】
そして、ＣＡＴＶ端末装置１４は、ＣＡＴＶセンター局１１から配信される各種番組の選局処理、選局された番組からの映像、音声及び文字等の各種情報の復調処理等を行なう機能を有する。このＣＡＴＶ端末装置１４で復調された映像、音声及び文字等の各種情報は、テレビジョン受信機１６に出力されてユーザの視聴に供される。
【００１７】
また、このＣＡＴＶ端末装置１４は、ＰＣ１７を接続可能としており、ＰＣ１７がＣＡＴＶセンター局１１を介して各種ネットワーク情報網１５とデータ通信を行なうためのケーブルモデム機能を有している。
【００１８】
なお、ＣＡＴＶセンター局１１からＣＡＴＶ端末装置１４には、例えば９０〜８６０ＭＨｚ程度の高周波の下り信号で、映像、音声、文字、ＰＣデータ等の各種情報が配信される。また、ＣＡＴＶ端末装置１４からＣＡＴＶセンター局１１には、例えば５〜６５ＭＨｚ程度の高周波の上り信号で情報が伝送される。
【００１９】
図２は、ＣＡＴＶ端末装置１４の概略的な構造を示している。このＣＡＴＶ端末装置１４は、略箱状に形成された筐体１８を有し、この筐体１８内に、各種の回路部を形成するための主回路基板１９が収納される構造となっている。
【００２０】
すなわち、主回路基板１９には、主として、ＣＡＴＶセンター局１１から配信される各種番組の選局処理や復調処理等を行なうための放送信号復調部２０と、ＰＣ１７がＣＡＴＶセンター局１１を介して各種ネットワーク情報網１５とデータ通信を行なうためのケーブルモデムモジュール装置２１と、ＡＣ（Alternating Current）商用電力を受けて放送信号復調部２０及びケーブルモデムモジュール装置２１に必要な電力を供給するための電源部２２とが実装されている。
【００２１】
また、上記筐体１８の前面パネル２３には、例えば受信チャンネルやＣＡＴＶセンター局１１との接続状態を表示する表示部２４、電源スイッチを含む各種の操作子２５、電源オン、オフの状態を示す表示装置２６、図示しないリモートコントローラからの操作情報を受信する受信部２７等が配置されている。
【００２２】
さらに、上記筐体１８の後面パネル２８には、上記ＣＡＴＶケーブル１２を接続するためのＲＦ同軸コネクタ２９、上記放送信号復調部２０で復調された映像信号及び音声信号を、それぞれ外部のテレビジョン受信機１６等に出力するための映像出力端子３０及び音声出力端子３１、ＣＡＴＶセンター局１１を介して各種のネットワーク情報網１５にアクセスする情報端末（例えばＰＣ１７等）を接続するためのコネクタ３２、上記電源部２２にＡＣ商用電力を供給するためのＡＣライン３３等が配置されている。
【００２３】
図３は、上記ＣＡＴＶ端末装置１４の信号処理系を示している。すなわち、上記ＣＡＴＶケーブル１２が接続されるＲＦ同軸コネクタ２９は、分配器３４に接続されている。この分配器３４は、ＣＡＴＶケーブル１２を、上記放送信号復調部２０のチューナ部３５に接続する機能と、上記ケーブルモデムモジュール装置２１のＲＦ同軸コネクタ３６に接続する機能とを有する。
【００２４】
これにより、ＣＡＴＶセンター局１１から配信される各種番組は、ＣＡＴＶケーブル１２、ＲＦ同軸コネクタ２９及び分配器３４を介してチューナ部３５に供給されて選局された後、上記放送信号復調部２０の信号処理部３７により、映像信号及び音声信号に復調される。
【００２５】
そして、上記放送信号復調部２０で復調された映像信号及び音声信号は、それぞれ映像出力端子３０及び音声出力端子３１を介して、外部のテレビジョン受信機１６等に出力されてユーザの視聴に供される。
【００２６】
また、ＰＣ１７から出力されるネットワーク情報網１５へのアクセス情報は、コネクタ３２、ケーブルモデムモジュール装置２１、ＲＦ同軸コネクタ３６、分配器３４、ＲＦ同軸コネクタ２９、ＣＡＴＶケーブル１２及びＣＡＴＶセンター局１１を介して、所定のネットワーク情報網１５に送出される。
【００２７】
そして、ネットワーク情報網１５からの返信情報は、ＣＡＴＶセンター局１１、ＣＡＴＶケーブル１２、ＲＦ同軸コネクタ２９、分配器３４、ＲＦ同軸コネクタ３６、ケーブルモデムモジュール装置２１及びコネクタ３２を介して、ＰＣ１７に受信される。
【００２８】
ここで、上記ケーブルモデムモジュール装置２１は、ＣＡＴＶセンター局１１との通信の制御、ＣＡＴＶセンター局１１に送信する上り信号の生成、ＣＡＴＶセンター局１１から送信された下り信号の復調、ケーブルモデムモジュール装置２１に接続されている外部装置（この場合ＰＣ１７）とのデータ通信の制御等を行なう機能を有している。
【００２９】
図４は、ケーブルモデムモジュール装置２１の信号処理系を示している。このケーブルモデムモジュール装置２１は、ＣＡＴＶセンター局１１と上記ＲＦ同軸コネクタ３６を介して送受信する高周波信号を扱うためのアナログ信号処理部を有するチューナ部３８と、このチューナ部３８に対して入出力する信号をデジタル処理するデジタル信号処理部３９とを備えている。
【００３０】
このデジタル信号処理部３９は、チューナ部３８で周波数変換されて出力されるアナログの下り信号をデジタル信号に変換するＡ／Ｄ（Analog／Digital）コンバータ４０、デジタル信号に変換された下り信号を復調してデータ化する復調部４１を備え、データ化された下り信号はＭＡＣ（Media Access Control）部４２に供給される。
【００３１】
また、ＭＡＣ部４２で生成されたデジタルの上り信号は、Ｄ／Ａ（Digital／Analog）コンバータ４３でアナログ信号に変換され、チューナ部３８を介してＣＡＴＶセンター局１１に送信される。
【００３２】
さらに、ＭＡＣ部４２は、ＣＡＴＶセンター局１１と送受信したデータを、イーサネットＩ／Ｆ（Interface）部４４を介して、ケーブルモデムモジュール装置２１に接続されている外部装置（この場合、ＰＣ１７）と通信する機能を有している。
【００３３】
また、このデジタル信号処理部３９は、チューナ部３８を含めた各回路部の動作を統括的に制御するために、マイクロコンピュータ等を内蔵した主制御部４５と、ＩＣ（Integrated Circuit）メモリ４６とを備えている。この主制御部４５及びＩＣメモリ４６は、ＭＡＣ部４２に接続されている。
【００３４】
そして、このケーブルモデムモジュール装置２１には、そのチューナ部３８及びデジタル信号処理部３９を含めた各回路部に対して、ケーブルモデムモジュール装置２１の外部に設置された上記電源部２２から電源電力が供給されるようになっている。
【００３５】
さらに、上記主制御部４５には、コンソール用端子４７が接続されている。このコンソール用端子４７は、例えばＰＣ等の制御機器を接続し、制御機器と主制御部４５のマイクロコンピュータとの間で通信を行なわせるための制御用通信端子である。
【００３６】
そして、このように、制御機器が、コンソール用端子４７を介して主制御部４５のマイクロコンピュータと通信可能となることにより、ケーブルモデムモジュール装置２１つまりデジタル信号処理部３９の各種状態の設定や、確認等を行なうことができる。
【００３７】
図５は、ケーブルモデムモジュール装置２１の構造を示している。図５において、符号４８は回路基板である。この回路基板４８には、図４に示したチューナ部３８及びデジタル信号処理部３９が実装されている。なお、図５では、デジタル信号処理部３９を構成するＩＣメモリ４６が、回路基板４８に接続されている状態が見えている。
【００３８】
このうち、チューナ部３８は、チューナ回路基板４９上に、上記ＲＦ同軸コネクタ３６を設置するとともに、前記アナログ信号処理部を形成している。そして、ＲＦ同軸コネクタ３６を露出させるようにして、チューナ回路基板４９を、例えば金属等の電磁波の不要輻射を遮蔽する効果のある素材で形成されたシールドケース５０内に収納した構成となっている。
【００３９】
このチューナ部３８は、一端部がチューナ回路基板４９に接続され、他端部がシールドケース５０を挿通して外方に突出される、アナログ信号入出力用の端子群５１を備えている。このチューナ部３８は、端子群５１の他端部を回路基板４８に接続することにより、回路基板４８に実装されたデジタル信号処理部３９と接続されている。
【００４０】
そして、上記ケーブルモデムモジュール装置２１は、チューナ部３８及びデジタル信号処理部３９が実装された回路基板４８の周囲を、外部からの電磁波をシールドする機能を有する略６面体のシールドケース５２、もしくは、それに類似した形状の筐体で覆うことにより構成されている。
【００４１】
このシールドケース５２は、回路基板４８の周囲４面を覆う枠状の金属ケース５３と、この４面体の金属ケース５３の一方の開口を覆う第１のカバー５４と、金属ケース５３の他方の開口を覆う第２のカバー５５とから形成されている。
【００４２】
ここで、上記金属ケース５３には、ケーブルモデムモジュール装置２１の外部と回路基板４８上のデジタル信号処理部３９との電気的接続や、ケーブルモデムモジュール装置２１の外部から回路基板４８上の各種回路に対する電源電力の供給を目的とする端子群５６が備えられている。
【００４３】
この端子群５６には、例えば貫通コンデンサ等のように、金属ケース５３を挿通して、他の外部回路基板（この場合、主回路基板１９）に直接はんだ付けすることができる端子、または、簡易な構造のコネクタで接続することができる端子を用いている。この端子群５６は、それぞれの一端部が回路基板４８に接続され、他端部が金属ケース５３を挿通して外方に突出されて、例えば主回路基板１９との接続に供されている。
【００４４】
図６は、上記回路基板４８のチューナ部３８が搭載されている面と反対側の面を示している。この面には、上記デジタル信号処理部３９のＡ／Ｄコンバータ４０、復調部４１、ＭＡＣ部４２、Ｄ／Ａコンバータ４３及び主制御部４５等をＩＣ化した半導体チップ５７と、ＩＣチップ化されたイーサネットＩ／Ｆ部４４とが実装されている。
【００４５】
ここで、上記金属ケース５３に備えられた端子群５６の一部には、前述したコンソール用端子４７が含まれている。このため、回路基板４８をシールドケース５０内に収納した状態でも、シールドケース５０の外部から端子群５６の中のコンソール用端子４７に対応する端子にＰＣ等の制御機器を接続して、主制御部４５のマイクロコンピュータと通信を行なうことにより、ケーブルモデムモジュール装置２１の各種状態の設定や、確認等を行なうことができる。
【００４６】
ところで、このコンソール用端子４７は、ケーブルモデムモジュール装置２１自体の製造時や、ＣＡＴＶ端末装置１４の製造時にケーブルモデムモジュール装置２１を組み込んだ状態での、ケーブルモデムモジュール装置２１の各種状態の設定や、確認等を行なうために使用されるもので、一般のユーザには使用されないことを前提とした端子である。
【００４７】
この場合、コンソール用端子４７は、端子群５６の一部として、ケーブルモデムモジュール装置２１の外部に露出されることになるが、ケーブルモデムモジュール装置２１自体がＣＡＴＶ端末装置１４の筐体１８内に内蔵されるので、ユーザがコンソール用端子４７を介して主制御部４５のマイクロコンピュータにアクセスすることは防止される。
【００４８】
このように、端子群５６の一部にコンソール用端子４７を含ませることにより、ケーブルモデムモジュール装置２１をＣＡＴＶ端末装置１４に組み込んでからも、筐体１８内に収納される前であれば、コンソール用端子４７を介して主制御部４５のマイクロコンピュータにアクセスすることができる。
【００４９】
このため、ＣＡＴＶ端末装置１４の製造過程でも、ケーブルモデムモジュール装置２１の設定、確認等を行なうことが可能となり、ひいては、所定の電子機器への内蔵に適する構成となる。
【００５０】
また、ＣＡＴＶ端末装置１４の完成後も、サービス、修理またはメンテナンス時等に、正規のサービスマンや技術者が筐体１８を取り外すことにより、ケーブルモデムモジュール装置２１の設定、確認等を容易に行なうことができる。
【００５１】
なお、上記端子群５６としては、図５に示したように、金属ケース５３の側面の全面に亘って配設されるだけでなく、例えば、図７または図８に示すように、金属ケース５３の側面の一部に配設されるようにしてもよいものである。この場合にも、端子群５６の一部にコンソール用端子４７が含まれることはもちろんである。
【００５２】
以上に説明した実施の形態では、ケーブルモデムモジュール装置２１が内蔵される電子機器としてＣＡＴＶ端末装置１４を例に説明したが、この電子機器としては、例えばゲーム機器等であっても適用することができる。
【００５３】
図９は、ゲーム機器５８の概略的な構造を示している。このゲーム機器５８は、略箱状に形成された筐体５９を有し、この筐体５９内に、各種の回路部を形成するための主回路基板６０が収納される構造となっている。
【００５４】
この主回路基板６０には、主として、ゲーム用のデータ処理用チップ６１と、上記したケーブルモデムモジュール装置２１と、ＡＣ商用電力を受けてデータ処理用チップ６１及びケーブルモデムモジュール装置２１に必要な電力を供給するための電源部６２とが実装されている。
【００５５】
また、上記筐体５９の前面パネル６３には、ゲームソフトウェアの格納されたディスクを装着して再生するためのディスク再生部６４、ユーザの操作するゲームコントローラ６５が接続されるコネクタ６６等が配置されている。
【００５６】
さらに、上記筐体５９の後面パネル６７には、ケーブルモデムモジュール装置２１に設置されたＲＦ同軸コネクタ３６、上記データ処理用チップ６１から出力される映像信号及び音声信号を、それぞれ外部のテレビジョン受信機６８等に出力するための映像出力端子６９及び音声出力端子７０、上記電源部６２にＡＣ商用電力を供給するためのＡＣライン７１等が配置されている。
【００５７】
そして、このゲーム機器５８では、ＣＡＴＶ端末装置１４と異なり、ケーブルモデムモジュール装置２１のＲＦ同軸コネクタ３６が後面パネル６７から突出されており、ＣＡＴＶケーブル１２が直接接続されるようになっている。
【００５８】
また、このゲーム機器５８には、例えばＣＡＴＶセンター局１１からダウンロード可能なゲームソフトウェア、バージョンアップデータまたはハイスコアデータ等を記憶可能なＨＤＤ（Hard Disk Drive）や、対戦型ゲームにおいてＣＡＴＶセンター局１１にエントリィされている任意の対戦相手との通信を確保／切断可能な通信ユニット等が設けられている。
【００５９】
図１０は、上記ゲーム機器５８の信号処理系を示している。すなわち、ケーブルモデムモジュール装置２１及びディスク再生部６４は、上記ゲーム用のデータ処理用チップ６１内に形成されているゲーム用データ処理部７２に接続されている。また、このゲーム用データ処理部７２には、コネクタ６６を介してゲームコントローラ６５が接続されるとともに、映像出力端子６９及び音声出力端子７０を介してテレビジョン受信機６８が接続されている。
【００６０】
そして、ゲーム用データ処理部７２が、ディスク再生部６４で再生されたゲームプログラムや、ケーブルモデムモジュール装置２１を介してＣＡＴＶセンター局１１から取得してＨＤＤに記憶されたゲームソフトウェア等に基づいて駆動されることにより、ゲームコントローラ６５の操作に対応したゲーム内容が、テレビジョン受信機６８で映像表示及び音声再生される。
【００６１】
また、ゲーム用データ処理部７２は、その内部で生成した種々のゲーム情報を、ケーブルモデムモジュール装置２１を介してＣＡＴＶセンター局１１に送信するとともに、ＣＡＴＶセンター局１１から送信される各種のゲーム情報を、ケーブルモデムモジュール装置２１を介して受信することにより、対戦型ゲームを実現している。
【００６２】
次に、この発明の他の実施の形態について説明する。すなわち、図１１において、図４と同一部分には同一符号を付して説明すると、前記主制御部４５には、表示制御部７３が接続されている。
【００６３】
この表示制御部７３は、主制御部４５の制御に基づいて、ケーブルモデムモジュール装置２１の設定状態や動作状態等、例えばＣＡＴＶセンター局１１とのリンク状態等、つまり、回路基板４８上における信号処理状態を表示するための表示制御信号を生成し、表示用端子７４に出力している。
【００６４】
ここで、この表示用端子７４は、上記金属ケース５３に備えられた端子群５６の一部に含まれている。このため、ケーブルモデムモジュール装置２１を、例えばゲーム機器５８の主回路基板６０に実装した状態で、表示制御部７３で生成された表示制御信号を、表示用端子７４を介して主回路基板６０上の回路パターンに導出することが可能となる。
【００６５】
図１２は、上記ゲーム機器５８を、その後面パネル６７側から見た状態を示している。すなわち、筐体５９内に収納された主回路基板６０には、ケーブルモデムモジュール装置２１が、その端子群５６が接続されることにより実装されている。この場合、ケーブルモデムモジュール装置２１のＲＦ同軸コネクタ３６は、後面パネル６７を挿通して外方に突出されている。
【００６６】
また、上記主回路基板６０には、例えばＬＥＤ等で構成された表示部７５が実装されている。この表示部７５は、後面パネル６７に形成された窓７６に対向する位置に設置されている。
【００６７】
そして、この表示部７５は、ケーブルモデムモジュール装置２１の端子群５６に含まれる表示用端子７４から、主回路基板６０上の回路パターンに導出された表示制御信号に基づいて駆動され、ケーブルモデムモジュール装置２１の設定状態や動作状態等の表示を行なっている。
【００６８】
このように、端子群５６の一部に表示用端子７４を含ませ、ケーブルモデムモジュール装置２１の設定状態や動作状態等を表示させるための表示制御信号を、主回路基板６０上の回路パターンに導出可能としたので、表示部７５を主回路基板６０上の任意の位置に実装して駆動させることが可能となる。
【００６９】
このため、表示部７５を筐体５９の任意の位置に取り付けることができるようになり、表示部７５の取り付け位置の自由度が増加し、ひいては、所定の電子機器への内蔵に適する構成となる。
【００７０】
なお、この発明は上記した実施の形態そのままに限定されるものではなく、実施段階ではその要旨を逸脱しない範囲で構成要素を種々変形して具体化することができる。
【００７１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７２】
【図１】この発明の実施の形態を示すもので、ＣＡＴＶ放送システムの概略を説明するために示す図。
【図２】同ＣＡＴＶ放送システムにおけるＣＡＴＶ端末装置の構造を説明するために示す斜視図
【図３】同ＣＡＴＶ端末装置における信号処理系を説明するために示すブロック構成図。
【図４】同ＣＡＴＶ端末装置に内蔵されたケーブルモデムモジュール装置の信号処理系を説明するために示すブロック構成図。
【図５】同ケーブルモデムモジュール装置内における構造を説明するために示す分解斜視図。
【図６】同ケーブルモデムモジュール装置内における各回路部品の配置を説明するために示す平面図。
【図７】同ケーブルモデムモジュール装置における端子群の取り付け位置の他の例を説明するために示す分解斜視図。
【図８】同ケーブルモデムモジュール装置における端子群の取り付け位置のさらに他の例を説明するために示す分解斜視図。
【図９】同ケーブルモデムモジュール装置が内蔵されたゲーム機器の構造を説明するために示す斜視図。
【図１０】同ゲーム機器における信号処理系を説明するために示すブロック構成図。
【図１１】この発明の他の実施の形態を示すもので、ケーブルモデムモジュール装置の信号処理系を説明するために示すブロック構成図。
【図１２】同ケーブルモデムモジュール装置が内蔵されたゲーム機器の主要な構造を説明するために示す斜視図。
【符号の説明】
【００７３】
１１…ＣＡＴＶセンター局、１２…ＣＡＴＶケーブル、１３…加入者宅、１４…ＣＡＴＶ端末装置、１５…ネットワーク情報網、１６…テレビジョン受信機、１７…ＰＣ、１８…筐体、１９…主回路基板、２０…放送信号復調部、２１…ケーブルモデムモジュール装置、２２…電源部、２３…前面パネル、２４…表示部、２５…操作子、２６…電源オン、オフの状態を示す表示装置、２７…受信部、２８…後面パネル、２９…ＲＦ同軸コネクタ、３０…映像出力端子、３１…音声出力端子、３２…コネクタ、３３…ＡＣライン、３４…分配器、３５…チューナ部、３６…ＲＦ同軸コネクタ、３７…信号処理部、３８…チューナ部、３９…デジタル信号処理部、４０…Ａ／Ｄコンバータ、４１…復調部、４２…ＭＡＣ部、４３…Ｄ／Ａコンバータ、４４…イーサネットＩ／Ｆ部、４５…主制御部、４６…ＩＣメモリ、４７…コンソール用端子、４８…回路基板、４９…チューナ回路基板、５０…シールドケース、５１…端子群、５２…シールドケース、５３…金属ケース、５４…第１のカバー、５５…第２のカバー、５６…端子群、５７…半導体チップ、５８…ゲーム機器、５９…筐体、６０…主回路基板、６１…データ処理用チップ、６２…電源部、６３…前面パネル、６４…ディスク再生部、６５…ゲームコントローラ、６６…コネクタ、６７…後面パネル、６８…テレビジョン受信機、６９…映像出力端子、７０…音声出力端子、７１…ＡＣライン、７２…ゲーム用データ処理部、７３…表示制御部、７４…表示用端子、７５…表示部、７６…窓。
【図１】
2005064902.tif 000003
【図２】
2005064902.tif 000004
【図３】
2005064902.tif 000005
【図４】
2005064902.tif 000006
【図５】
2005064902.tif 000007
【図６】
2005064902.tif 000008
【図７】
2005064902.tif 000009
【図８】
2005064902.tif 000010
【図９】
2005064902.tif 000011
【図１０】
2005064902.tif 000012
【図１１】
2005064902.tif 000013
【図１２】
2005064902.tif 000014